【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】  観察者の視線上に相前後して配置されており且つ表示対象物に係る複数の画像を前記視線上において重ねて表示する複数の表示手段と、
前記複数の表示手段の夫々が発する光のうち、前記観察者の観察位置において最大の輝度を有する光と、前記観察位置において最小の輝度を有する光との輝度差が第１の所定の範囲内に収まるように、前記複数の表示手段のうち少なくとも一つの表示手段が発する光の輝度を調整する輝度調整手段と、
前記複数の表示手段の夫々が発する光の、前記観察位置における色度座標上で、任意に選択した前記複数の表示手段のうち二つの表示手段の夫々の前記色度座標が、第２の所定の範囲内に分布するように、前記一つの表示手段が発する光の色度を調整する色度調整手段と
を備えたことを特徴とする表示装置。
【請求項２】  観察者の視線上に相前後して配置されており且つ表示対象物に係る複数の画像を前記視線上において重ねて表示する複数の表示手段と、
前記複数の表示手段のうち隣り合う二つの表示手段の夫々が発する光のうち、前記観察者の観察位置において最大の輝度を有する光と、前記観察位置において最小の輝度を有する光との輝度差が第１の所定の範囲内に収まるように、前記隣り合う二つの表示手段のうち少なくとも一つの表示手段が発する光の輝度を調整する輝度調整手段と、
前記隣り合う二つの表示手段の夫々が発する光の、前記観察位置における色度座標上で、前記隣り合う二つの表示手段の夫々の前記色度座標が、第２の所定の範囲内に分布するように、前記一つの表示手段が発する光の色度を調整する色度調整手段と
を備えたことを特徴とする表示装置。
【請求項３】  前記最大の輝度をＣ１とし、前記最小の輝度をＣ２とした場合に、前記輝度差は、（Ｃ１−Ｃ２）／（Ｃ１＋Ｃ２）によって示され、
前記第１の所定の範囲は、１５パーセントであることを特徴とする請求項１又は２に記載の表示装置。
【請求項４】  前記第１の所定の範囲は、７．５パーセントであることを特徴とする請求項３に記載の表示装置。
【請求項５】  前記色度座標は、ＸＹＺ表色系によって示される色度座標であり、
前記第２の所定の範囲は、前記色度座標のうちｘ座標の差とｙ座標の差とが夫々０．０６以下となる範囲であることを特徴とする請求項１から４のいずれか一項に記載の表示装置。
【請求項６】  前記第２の所定の範囲は、前記色度座標のうちｘ座標の差とｙ座標の差とが夫々０．０３以下となる範囲であることを特徴とする請求項５に記載の表示装置。
【請求項７】  前記複数の表示手段の夫々はＲＧＢカラー表示可能であり、
前記輝度調整手段及び前記色度調整手段のうち少なくとも一方は、ＲＧＢ毎の光について調整することを特徴とする請求項１から６のいずれか一項に記載の表示装置。
【請求項８】  前記輝度調整手段及び前記色度調整手段のうち少なくとも一方は、前記一つの表示手段の発する白色光について調整することを特徴とする請求項１から７のいずれか一項に記載野表示装置。
【請求項９】  前記輝度設定手段は、更に前記複数の表示手段のガンマ特性を揃えることを特徴とする請求項１から８のいずれか一項に記載の表示装置。
【請求項１０】  前記輝度調整手段及び前記色度調整手段のうち少なくとも一方は、前記一つの表示手段をその画面内で分割した単位である画面片単位毎に発する光を調整することを特徴とする請求項１から９のいずれか一項に記載の表示装置。
【請求項１１】  前記画面片単位は、前記一つの表示手段における一つの画素若しくは該画素が複数集合してなる画素ブロック又は画素ラインであることを特徴とする請求項１０に記載の表示装置。
【請求項１２】  前記複数の表示手段の夫々の画面内における輝度変化の勾配及び色度勾配のうち少なくとも一方が相等しいことを特徴とする請求項１から１１のいずれか一項に記載の表示装置。
【請求項１３】  前記輝度調整手段は、前記一つの表示手段の輝度ムラと、前記複数の表示手段のうち他の表示手段の輝度ムラとが相互に同一傾向を持つように、前記光の輝度を調整することを特徴とする請求項１から１２に記載の表示装置。
【請求項１４】  前記色度調整手段は、前記一つの表示手段の色ムラと、前記複数の表示手段のうち他の表示手段の色ムラとが相互に同一傾向をもつように、前記光の色度を調整することを特徴とする請求項１から１３のいずれか一項に記載の表示装置。
【請求項１５】  前記輝度調整手段及び色度調整手段のうち少なくとも一方は、前記一つの表示手段が有する輝度及び色度のうち少なくとも一方に関する画像情報を書き換えることで調整することを特徴とする請求項１から１４のいずれか一項に記載の表示装置。
【請求項１６】  前記光の輝度及び色度のうち少なくとも一方を調整するための指示を入力可能な入力手段を更に備え、
前記輝度調整手段及び色度調整手段のうち少なくとも一方は、前記指示に基づいて調整することを特徴とする請求項１から１５のいずれか一項に記載の表示装置。
【請求項１７】  前記複数の表示手段のうち、少なくとも前記観察者から見て最も後方に配置された表示手段を除く表示手段は、光透過性を有する表示デバイスからなることを特徴とする請求項１から１６のいずれか一項に記載の表示装置。
【請求項１８】  前記複数の表示手段は、ハーフミラーにより合成される表示手段を含むことを特徴とする請求項１乃至請求項１７のいずれか一項に記載の表示装置。
【請求項１９】  観察者の視線上に相前後して配置されており且つ表示対象物に係る複数の画像を前記視線上において重ねて表示する複数の表示手段を備えた表示装置に係る表示方法であって、
前記複数の表示手段に前記複数の画像を表示する表示工程と、
前記複数の表示手段の夫々が発する光のうち、前記観察者の観察位置において最大の輝度を有する光と、前記観察位置において最小の輝度を有する光との輝度差が第１の所定の範囲内に収まるように、前記複数の表示手段のうち少なくとも一つの表示手段が発する光の輝度を調整する輝度調整工程と、
前記複数の表示手段の夫々が発する光の、前記観察位置における色度座標上で、任意に選択した前記複数の表示手段のうち二つの表示手段の夫々の前記色度座標が、第２の所定の範囲内に分布するように、前記一つの表示手段が発する光の色度を調整する色度調整工程と
を備えたことを特徴とする表示方法。
【請求項２０】  観察者の視線上に相前後して配置されており且つ表示対象物に係る複数の画像を前記視線上において重ねて表示する複数の表示手段を備えた表示装置に係る表示方法であって、
前記複数の表示手段に前記複数の画像を表示する表示工程と、
前記複数の表示手段のうち隣り合う二つの表示手段の夫々が発する光のうち、前記観察者の観察位置において最大の輝度を有する光と、前記観察位置において最小の輝度を有する光との輝度差が第１の所定の範囲内に収まるように、前記隣り合う二つの表示手段のうち少なくとも一つの表示手段が発する光の輝度を調整する輝度調整工程と、
前記隣り合う二つの表示手段の夫々が発する光の、前記観察位置における色度座標上で、前記隣り合う二つの表示手段のうちの前記色度座標が、第２の所定の範囲内に分布するように、前記一つの表示手段が発する光の色度を調整する色度調整工程と
を備えたことを特徴とする表示方法。
【手続補正２】
【補正対象書類名】明細書
【補正対象項目名】０００９
【補正方法】変更
【補正の内容】
【０００９】
上記課題を解決するために、請求項１９に記載の表示方法は、観察者の視線上に相前後して配置されており且つ表示対象物に係る複数の画像を前記視線上において重ねて表示する複数の表示手段を備えた表示装置に係る表示方法であって、前記複数の表示手段に前記複数の画像を表示する表示工程と、前記複数の表示手段の夫々が発する光のうち、前記観察者の観察位置において最大の輝度を有する光と、前記観察位置において最小の輝度を有する光との輝度差が第１の所定の範囲内に収まるように、前記複数の表示手段のうち少なくとも一つの表示手段が発する光の輝度を調整する輝度調整工程と、前記複数の表示手段の夫々が発する光の、前記観察位置における色度座標上で、任意に選択した前記複数の表示手段のうち二つの表示手段の夫々の前記色度座標が、第２の所定の範囲内に分布するように、前記一つの表示手段が発する光の色度を調整する色度調整工程とを備える。
【手続補正３】
【補正対象書類名】明細書
【補正対象項目名】００１０
【補正方法】変更
【補正の内容】
【００１０】
上記課題を解決するために、請求項２０に記載の表示方法は、観察者の視線上に相前後して配置されており且つ表示対象物に係る複数の画像を前記視線上において重ねて表示する複数の表示手段を備えた表示装置に係る表示方法であって、前記複数の表示手段に前記複数の画像を表示する表示工程と、前記複数の表示手段のうち隣り合う二つの表示手段の夫々が発する光のうち、前記観察者の観察位置において最大の輝度を有する光と、前記観察位置において最小の輝度を有する光との輝度差が第１の所定の範囲内に収まるように、前記隣り合う二つの表示手段のうち少なくとも一つの表示手段が発する光の輝度を調整する輝度調整工程と、前記隣り合う二つの表示手段の夫々が発する光の、前記観察位置における色度座標上で、前記隣り合う二つの表示手段のうちの前記色度座標が、第２の所定の範囲内に分布するように、前記一つの表示手段が発する光の色度を調整する色度調整工程とを備える。